【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
芳香族ポリカーボネート樹脂（Ａ）、ポリエーテル誘導体（Ｂ）及び下記式で表される芳香族化合物（Ｃ）を含む芳香族ポリカーボネート樹脂組成物であって、
芳香族ポリカーボネート樹脂（Ａ）１００重量部に対してポリエーテル誘導体（Ｂ）を、０．１重量部以上２．０重量部以下、および芳香族化合物（Ｃ）を０．０００１重量部以上０．０５重量部未満含み、
式：
【化１】
2020125438.tif 000001
前記ポリエーテル誘導体（Ｂ）が、下記式（１）で表され、５００〜８０００の重量平均分子量を有するポリエーテル誘導体を含み、
式（１）：
ＲＯ−（Ｘ−Ｏ）ｍ（Ｙ−Ｏ）ｎ−Ｒ’
（式中、ＲおよびＲ’は、それぞれ独立して水素原子または炭素数１〜３０のアルキル基を示し、Ｘは、炭素数２〜４の直鎖アルキレン基又は分岐アルキレン基を示し、Ｙは、炭素数２〜５の直鎖アルキレン基又は分岐アルキレン基を示し、ＸとＹは同一であっても異なっていても良く、ｍ及びｎは、各々独立して、３〜６０を示し、ｍ＋ｎは６〜１２０を示す。）
式（１）で表されるポリエーテル誘導体は、下記式（２）で表されるポリエーテル誘導体、式（３）で表されるポリエーテル誘導体、式（４）で表されるポリエーテル誘導体、式（５）で表されるポリエーテル誘導体、式（６）で表されるポリエーテル誘導体、式（８）で表されるポリエーテル誘導体、式（９）で表されるポリエーテル誘導体及び式（１０）で表されるポリエーテル誘導体から選択される少なくとも１種を含む、芳香族ポリカーボネート樹脂組成物。
式（２）：
ＨＯ−（ＣＨ２ＣＨ２ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（３）：
ＨＯ−（ＣＨ２ＣＨ２ＣＨ２ＣＨ２Ｏ）ｍ（ＣＨ２ＣＨ２ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（４）：
ＨＯ−（ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（５）：
ＲＯ−（ＣＨ２ＣＨ２ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）；
式（６）：
ＲＯ−（ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）；
式（８）：
ＨＯ−（ＣＨ２ＣＨ２ＣＨ２ＣＨ２Ｏ）ｐ−Ｈ
（式中、ｐは、６〜１００を示す。）；
式（９）：
ＨＯ−（ＣＨ（ＣＨ３）ＣＨ２Ｏ）ｑ−Ｈ
（式中、ｑは、７〜１２０を示す。）；
及び
式（１０）：
ＨＯ−（ＣＨ（Ｃ２Ｈ５）ＣＨ２Ｏ）ｒ−Ｈ
（式中、ｒは、６〜１００を示す。）
【請求項２】
ＪＩＳ  Ｋ１５５７−４に準拠して測定される、ポリエーテル誘導体（Ｂ）のＣＰＲが２．０以下である、請求項１に記載の芳香族ポリカーボネート樹脂組成物。
【請求項３】
ＪＩＳ  Ｋ１５５７−５に準拠して測定される、ポリエーテル誘導体（Ｂ）のｐＨが、５．０以上、７．５未満である、請求項１又は２に記載の芳香族ポリカーボネート樹脂組成物。
【請求項４】
ＪＩＳ  Ｋ７１２０に準拠する熱重量測定で測定される、ポリエーテル誘導体（Ｂ）の９０％重量となる温度（又は重量減少率が１０％となる温度）が、３００℃以上である、請求項１〜３のいずれかに記載の芳香族ポリカーボネート樹脂組成物。
【請求項５】
芳香族ポリカーボネート樹脂（Ａ）１００重量部に対して、芳香族化合物（Ｃ）を、０．０００５以上〜０．００３重量部未満含む、請求項１〜４のいずれかに記載の芳香族ポリカーボネート樹脂組成物。
【請求項６】
芳香族ポリカーボネート樹脂（Ａ）１００重量部に対して、更に、リン系酸化防止剤（Ｄ）を、０．５重量部まで含有する、請求項１〜５のいずれかに記載の芳香族ポリカーボネート樹脂組成物。
【請求項７】
前記リン系酸化防止剤（Ｄ）が、下記亜リン酸エステル構造を有する亜リン酸エステル化合物を含む、請求項６に記載の芳香族ポリカーボネート樹脂組成物。
【化２】
2020125438.tif 000002
【請求項８】
前記リン系酸化防止剤（Ｄ）が、下記式（１１）、（１２）、（１３）及び（１４）で表される亜リン酸エステル化合物から選択される少なくとも１種以上の化合物を含む、請求項７に記載の芳香族ポリカーボネート樹脂組成物。
式（１１）：
【化３】
2020125438.tif 000003
［式中、Ｒ１は、炭素数１〜２０のアルキル基又はアルキル基で置換されていてもよいアリール基を示し、ａは、０〜３の整数を示す。］
式（１２）：
【化４】
2020125438.tif 000004
［式中、Ｒ２、Ｒ３、Ｒ５及びＲ６は、各々独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。Ｒ４は、水素原子又は炭素数１〜８のアルキル基を示す。Ｘは、単結合、硫黄原子又は式：−ＣＨＲ７−（ここで、Ｒ７は、水素原子、炭素数１〜８のアルキル基又は炭素数５〜８のシクロアルキル基を示す）で表される基を示す。Ａは、炭素数１〜８のアルキレン基又は式：＊−ＣＯＲ８−（ここで、Ｒ８は、単結合又は炭素数１〜８のアルキレン基を示し、＊は、酸素側の結合手であることを示す）で表される基を示す。Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。］
式（１３）：
【化５】
2020125438.tif 000005
［式中、Ｒ９、Ｒ１０は炭素数１〜２０のアルキル基、またはアルキル基で置換されてもよいアリール基を、ｂ及びｃは、それぞれ独立して、整数０〜３を示す。］
式（１４）：
【化６】
2020125438.tif 000006
［式中、Ｒ１１〜Ｒ１８は、それぞれ独立に、炭素数１〜３のアルキル基またはアルケニル基を示す。Ｒ１１とＲ１２、Ｒ１３とＲ１４、Ｒ１５とＲ１６、Ｒ１７とＲ１８とは、互いに結合して環を形成していても良い。Ｒ１９〜Ｒ２２は、それぞれ独立に、水素原子または炭素数１〜２０のアルキル基を示す。ｄ〜ｇは、それぞれ独立して、０〜５の整数である。Ｘ１〜Ｘ４は、それぞれ独立に、単結合または炭素原子を示す。Ｘ１〜Ｘ４が単結合である場合、Ｒ１１〜Ｒ２２のうち、当該単結合に繋がった官能基は式（１４）から除外される。］
【請求項９】
下記のことから選択される少なくとも１を満たす、請求項８に記載の芳香族ポリカーボネート樹脂組成物。
前記式（１１）で表される亜リン酸エステル化合物が、トリス（２，４−ジ−ｔ−ブチルフェニル）フォスファイトを含むこと；
前記式（１２）で表される亜リン酸エステル化合物が、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンを含むこと；
前記式（１３）で表される亜リン酸エステル化合物が、３，９−ビス（２，６−ジ−ｔｅｒｔ−ブチル−４−メチルフェノキシ）−２，４，８，１０−テトラオキサ−３，９−ジホスファスピロ［５，５］ウンデカンを含むこと；及び
前記式（１４）で表される亜リン酸エステル化合物が、ビス（２，４−ジクミルフェニル）ペンタエリスリトールジフォスファイトを含むこと。
【請求項１０】
前記芳香族ポリカーボネート樹脂（Ａ）１００重量部に対して、さらに、エポキシ化合物（Ｅ）を、０．００１〜０．２質量部含有する、請求項１〜９のいずれかに記載の芳香族ポリカーボネート樹脂組成物。
【請求項１１】
前記エポキシ化合物（Ｅ）が、３’，４’−エポキシシクロヘキシルメチル−３，４−エポキシシクロヘキサンカルボキシレートを含む、請求項１０に記載の芳香族ポリカーボネート樹脂組成物。
【請求項１２】
熱安定剤、酸化防止剤、着色剤、離型剤、軟化剤、帯電防止剤及び衝撃性改良剤を含む群から選択される少なくとも１種を更に含有する、請求項１〜１１のいずれかに記載の芳香族ポリカーボネート樹脂組成物。
【請求項１３】
請求項１〜１２のいずれかに記載の芳香族ポリカーボネート樹脂組成物を含む光学用成形品。
【請求項１４】
前記光学用成形品が、導光板、面発光体材料、導光フィルム、車両用ライトガイド及び銘板から選択される成形品を含む、請求項１３記載の光学用成形品。
【請求項１５】
請求項１〜１２のいずれかに記載の芳香族ポリカーボネート樹脂組成物を成形することを含む、光学用成形品の製造方法。